(57)【要約】【課題】腰痛で悩む人間が多い。軽微なうちに  腰や臀部、下部背中など自分の体の背面を自分で手軽に指圧したい  と言う社会的要求が強い。しかし  中々満足出来るものが市販されていない。最も一般的な手持ち指圧棒で挑戦するに、その操作は  当然  後ろ手の操作になる。後ろ手の操作は、腕が回らず思う所に手が届かない、力が入らない、やりにくい操作である為疲れ易い、等の問題がある。そこで  壁からの抗力を期待して、手で指圧棒を壁に立て挑戦するが、指圧棒と壁との接点に滑りが発生し  殆んど使い物にならない。何か良い方法はないか。【課題を解決するための手段】従来の指圧棒の底部（押圧部の反対側）にゴムや軟質プラスチックなどの滑り止めを設ける事により、全面的に課題が解決する。【選択図】図１
2010259676.tif 000002
【特許請求の範囲】
【請求項１】
押圧部（先端部）の反対側（底部）に滑り止めをつけた指圧棒。
【発明の詳細な説明】
【技術分野】
【０００１】
本発明は、壁からの抗力を利用して腰や臀部、下部背中などの体の背面を自分で容易に指圧出来る様にした指圧棒に関するものである。
【背景技術】
【０００２】
自分で自分の腰や臀部などのツボや筋肉を押圧したりほぐしたりする指圧マッサージの為の指圧棒や用具が種々市販されている。手に持って指圧する典型的な指圧棒、床面に置いて体重を掛けながら指圧する指圧用具、Ｕ字型やＳ字型の指圧棒等々  様々である。又  特許情報の中には、柱に指圧棒を固定した指圧装置、吸盤で指圧棒を壁に固定する指圧棒等のアイデアが公開されている。  本発明は、特に  手に持って指圧する典型的指圧棒に関するものである。このタイプの指圧棒で最も指圧したい体の部位は、腰や臀部、下部背中など、体の背面が多い。この場合  これらの部位は後ろ手で指圧動作をする事になるから、腕が廻らず手が届かないとか力が入れ難いなどの困難を伴う。他の用具にも  体の背面の指圧を目的とするものがあるが  夫々に難点が有る。床に置いて体重を掛ける用具の場合、押圧部を指圧したい場所に持って行く事が困難だし体重の掛け方も難しい。Ｕ字型、Ｓ字型指圧棒は、肩や首周りには使い易いが、腰周りや臀部など体の低い部分には不適である。社会的には腰痛で悩む人間が非常に多い。それにもにも拘らず  前述の部位を指圧する良い用具が  市場には見当たらない。重症のものは別として  軽微な間に家庭で日常的に手軽に指圧をして腰痛解消したいものだ。従来のものを越える用具の出現が期待されている。
【０００３】
指圧棒商品に関連する市販品や特許情報を調査した。しかし  本出願の様なアイデアの指圧棒は無かった。公開されている実用新案、特許公報としては下記のものがあった。
【特許文献０１】特許公開２０００−３５０７６９号公報
【特許文献０２】特許公開２０００−１４００６６号公報
【特許文献０３】登録実用新案第３１４７４９４号
【特許文献０４】登録実用新案第３０９５７０５号
【発明の開示】
【発明が解決しようとする課題】
【０００４】
腰や臀部・背中などの体の背面でも強力かつ容易に指圧出来る指圧棒を安価に提供する。
【課題を解決するための手段】
【０００５】
図１は本発明の一例である指圧棒の構造を示す説明図である。左半分が外見図、右半分が断面図である。構造的には  従来の手に持って指圧する一般的指圧棒の底部に滑り止め３を取り付ける事により課題を解決するものである。滑り止め機能を持つ材料としては  硬めのゴムや軟質プラスチックなど、一般市場で簡単に調達出来る物である。この指圧棒の滑り止め部を壁に当て、壁からの抗力を利用してツボ押しやマッサージをしようとするものだ。今後の説明では、この壁からの抗力を利用する指圧法を“壁押し指圧”と呼ぶ。
【発明の効果】
【０００６】
図２は  本発明の指圧棒で腰周りを指圧する場合の力学的説明図である。壁からの抗力を得る為、壁に垂直（Ｚ−Ｚ軸）に指圧棒を立て、指圧したい部位例えば腰の或る点から作用力を加えるとする。とは云うものの実際にやって見ると分かるが、壁に垂直に指圧棒を立てる行為は  中々簡単ではない。後ろ手での操作だから垂直の積りでも正確では無い。又  指圧行為そのものが傾きを起こすのだ。それは  指圧棒の先端と肌との接点Ｂでの現象に起因する。皮膚自体が伸縮性があるし、指圧部の皮膚下にはいろいろな形状や傾斜の骨があるから、その上を押すと指圧棒の押圧部が、骨の形状に沿ってずれ込み移動してしまう。筋肉部を押す場合も同様だ。筋肉もいろいろな大きさ、硬さの筋肉から構成されているから  筋肉間の溝や形状に沿って、指圧棒の押圧部が上下左右にずれ込み移動する。そうすると図２の仮想線の様に、指圧棒は  押圧部の移動量に応じて  角度θの傾きを生じる。従って、従来の指圧棒のように指圧棒の底部（壁との接点Ａ）に滑り止めが無ければ、接点Ａに滑りが生じる事になる。一旦滑りが生じれば指圧棒は倒れてしまうので、作用力を加えられなくなる。手で支えれば良いのではないか  とも考えるが、体重を掛けた棒の滑りを止めるのは容易ではない。しかし  本発明の指圧棒では  滑り止めが付いているから、壁との接点Ａには静止摩擦力が働く。よって  その摩擦係数に見合う傾斜角まで滑りが生じない。板壁など通常の壁との間で静止摩擦係数が0.8〜1.0  程度の滑り防止材料は幾らでもあるから、その場合  傾きが３８〜４５度でも滑りを起こさない事になる。安心して体重を掛けられるのだ。
【０００７】
指圧棒の先端と肌との接点Ｂが、骨や筋肉の形状に沿ってずれ込みによって移動する事を記述したが、指圧棒先端と皮膚或いは衣類との間の滑りはどうであろうか。人間の皮膚を指圧棒で斜めに押すと、指圧棒の先端は皮膚や衣類に食い込んで、云わば  皮膚や衣類を軽く引っ掛けた様な状態で摩擦力が働く。そうなると  通常の摩擦係数以上の摩擦力に耐える事が出来る事になる。指圧棒を肌に当てる角度が余程滑り易い角度でない限り  滑りは起こさない。この事は  長期の使用結果でも確認されている。
【０００８】
たかが滑り止めを付けただけではあるが、その効果は非常に大きい。例えば、壁との接点Ａでの滑りを起こさせないために、前述の特許情報の中にある例では、指圧棒を柱に固定する方法（特許公開２０００−３５０７６９）、吸盤で固定する方法（登録実用新案３０９５７０５号）などがある。本発明では、それを  滑り止めを付ける事で解決した事になる。その結果、装置は簡単、携帯し易い、使い易い、廉価な指圧棒を市場に提供出来る事を確信する。
【０００９】
一般的に滑り止めとして用いる材料は  ある程度軟質性であるから、指圧棒を壁に押し付けた時のキズ防止にも役立っている。逆に言えば、壁にキズを付けない様な材質と形状とする事になる。又その様な材料は弾力性があるから、緩衝材的機能も持っている。過剰な作用力を掛けても柔らかい抗力を返す作用をしてくれる効果がある。蛇足かも知れないが、本発明の指圧棒は  “壁押し指圧”に用いるだけではなく、一般の指圧棒として手や腕の力で指圧する用い方も出来る。
【発明を実施するための最良の形態】
【００１０】
以上本発明の特徴を記述して来たが、発明の要点は指圧棒の底部に滑り止め兼キズ防止兼クッション機能を持たせた事である。従って  それぞれの目的が果たせれば、どの様な形状（押圧部１、握り柄２、滑り止め３）、材料（木材、プラスチック、金属）でも差し支えない。
【実施例１】
【００１１】
図１で示した指圧棒が実施例である。
【図面の簡単な説明】
【００１２】
【図１】本発明の一例である指圧棒の外観と断面を示す説明図である。
【図２】本発明の指圧棒の力学的説明をするための模式図である。
【符号の説明】
【００１３】
１    押圧部
２    握り柄
３    滑り止め
【図１】
2010259676.tif 000003
【図２】
2010259676.tif 000004